(57)【要約】      （修正有）【課題】ティッシュペーパー箱から残量が少量になったティッシュペーパーを取出す際に、取出したティッシュペーパーが上面孔から落下する場合や一回の取出し時に複数枚のティッシュペーパーが絡み出てくる不都合を防止できるティッシュ取り出し装置を提供する。【解決手段】ティッシュペーパー箱のティッシュ取出し口を覆うように設置する外枠１に内枠２が取り付けられ、内枠に於いて対面する枠部を支持軸ａとし、支持軸に複数の回動自在のローラー３が嵌め込まれ、内枠の弾性作用によりローラーを相互に押圧し、ローラー間からティッシュペーパーを引き抜く。【選択図】図１
0003215826.tif 000002
【実用新案登録請求の範囲】
【請求項１】
テッシュペーパー箱のテッシュ取出し口を覆うように設置する外枠であり、前記外枠の各長手方向の枠部には内枠が取り付けられ、前記内枠に於いて対面する枠部を支持軸とし、前記支持軸にはそれぞれ１個以上の回動自在のローラーが嵌め込まれ、前記各支持軸のローラーが相互に押圧されるように取り付けられたテッシュペーパー箱用テッシュ取り出し装置。
【請求項２】
前記内枠は弾性作用を有する材質又は形状を維持する材料からなることを特徴とする請求項１に記載のテッシュペーパー箱用テッシュ取り出し装置。
【請求項３】
前記内枠の材質が形状記憶合金、ピアノ線又は樹脂から成ることを特徴とする請求項２に記載のテッシュペーパー箱用テッシュ取り出し装置。
【請求項４】
前記ローラーの支持軸には１個以上の回動自在のローラーが嵌め込まれたことを特徴とする請求項１記載のテッシュペーパー箱用テッシュ取り出し装置。
【考案の詳細な説明】
【技術分野】
【０００１】本考案は、テッシュペーパー箱に収納されたテッシュペーパーを使い切るまで安定して取り出すテッシュペーパー箱用テッシュペーパー取り出し装置に関する。
【背景技術】
【０００２】テッシュペーパー箱からペーパーを引き出す際に、残量が少量になると一回の取出し時に複数枚のペーパーが絡み出てくる現象やテッシュペーパーが当該テッシュペーパー箱上部の取出し口に保持できずに当該箱内に落ち込む現象などの不都合がある。
【先行技術文献】
【特許文献】
【０００３】
【特許文献１】特許公報  第２９５８６８５号
【特許文献２】公開特許公報  特開平６−９２３７８号
【特許文献３】公開特許公報  特開２００３−３２７２８１号
【特許文献４】公開実用新案公報  実開平７−１７１９６号
【特許文献５】実用新案登録公報  第２５５１９９６号
【特許文献６】実用新案登録公報  第３２０３０５５号
【特許文献７】実用新案登録公報  第３２０９１６２号
【考案の概要】
【考案が解決しようとする課題】
【０００４】上記問題を解決するために、特許公報第２９５８６８５号には上部のものから取り出すにつれて嵩減りするテッシュペーパーの収納ケースにおいて、上部開放の角箱状ケースの内面に沿わせて雄ねじを軸受で枢支立設して備え、この雄ねじに螺合したナットに底板をその端部付近で固定横設することで、この底板を前記ケース内に雄ねじの回転に伴い昇降可能に平設するとともに、この底板上のテッシュペーパー重積体をその上部のものから取り出すための取り出し口を有する蓋板を前記ケースの上面に開閉可能に被せてなる底上げ式テッシュペーパー収納ケースが提案されている。【０００５】特開平６−９２３７８号には、上面板に取出孔を形成した箱体の側板を蛇腹状に形成し、前記側板へ上面板および底板の少なくとも一方を開閉自在に設けることを特徴とするテッシュペーパー収納箱が提案されている。また、特開２００３−３２７２８１号にはテッシュボックス本体に別途に構成されたテッシュペーパーに対する押し上げ機構をテッシュペーパー共々本体に収納し本体に底板を差し込むことにより常にテッシュペーパーは最上部に位置し容易に取り出しが出来、底板を抜き取ることにより簡単に詰め替えができるテッシュペーパー収納箱が提案されている。【０００６】実開平７−１７１９６号にはデザイン性を優先させたテッシュペーパー収納箱が提案されている。具体的には、テッシュペーパー収納箱の上面板の端部を支点として回動自在に取りつけられた蓋を取り付けたテッシュ収納箱である。【０００７】実用新案登録公報第２５５１９９６号には、収納箱本体に設けられた蓋部の下面と、収納された、箱入りテッシュペーパーの上面との間に、前後に可動自在の紙押さえを設け、テッシュペーパーの露出された部分を押し曲げ、その長さを約半減せしめた後に、開閉蓋を閉じることの出来るティシュペーパー収納箱が提案されている。【０００８】いずれの提案もテッシュペーパー残量が少量になった時の課題を克服するために成されたものであるが操作性の観点およびデザイン性の観点から必ずしも優れているとは言えないのが現状である。【０００９】上記操作性の観点およびデザイン性の観点を打破するために本出願人は実用新案登録公報第３２０３０５５号に上面板にテッシュペーパー取出孔を形成し、前記上面板には取出孔を覆う２個の開閉自在の扉と当該扉端にはローラーが具備され、前記扉を閉鎖した状態で当該ローラー面が対向することを特徴とするテッシュペーパー収納箱を提案している。しかしながら、前記ローラー間の隙間の調整を誤るとローラー間にテッシュが保持できない場合やローラー間に隙間がなければティシュペーパーを引き出す際に破れるなどの問題があった。【００１０】上記課題を解決するために本出願人は、実用新案登録公報第３２０９１６２号にて上面板に開口部が形成され、前記開口部には支持軸を備えたローラーが対向するように２本備わり、前記支持軸の両端部が前記開口部の側面に遊嵌され、且つ、前記２本のローラー面を押圧するために前記上面板内に具備された複数のバネにより前記支持軸の両端部側面を押圧する構造であり、前記ローラーの支持軸には１個以上の回動自在のローラーが嵌め込まれたテッシュペーパー箱用カバーを提案した。しかしながら、対面するローラー間の押圧調整が難しくティシュペーパーを引き出す際に破れるなどが生じる場合があった。
【課題を解決するための手段】
【００１１】上記課題に鑑み、考案者は誠意工夫の結果、操作性と衛生面の観点を維持しつつ、大幅なコスト削減が可能なテッシュペーパー箱用テッシュペーパー取り出し装置を見出した。具体的には、テッシュペーパー箱のテッシュ取出し口を覆うように設置する外枠であり、前記外枠の各長手方向の枠部には内枠が取り付けられ、前記内枠に於いて対面する枠部を支持軸とし、前記支持軸にはそれぞれ１個以上の回動自在のローラーが嵌め込まれ、前記各支持軸のローラーが相互に押圧されるように取り付けられたテッシュペーパー箱用テッシュ取り出し装置である。【００１２】前記内枠は弾性作用を有する材質又は形状を維持する材料からなることを特徴と、具体的には前記内枠の材質が形状記憶合金、ピアノ線又は樹脂から成ることを特徴とするテッシュペーパー箱用テッシュ取り出し装置である。
【考案の効果】
【００１３】本考案のテッシュペーパー箱用テッシュペーパー取り出し装置によりテッシュペーパー上面の開口部に具備した対向するローラーにより市販テッシュペーパーボックスからのテッシュを円滑に取り出すことが可能となり、当該ローラー間によるストッパーの作用により次回使用するテッシュペーパーが確実にローラー間に保持されるばかりか複数のテッシュペーパーが纏めて出てくることも防止できる。【００１４】病状者はテッシュペーパー使用頻度が高く、テッシュペーパー取出し動作だけでも負担が掛かる場合があり、市販のテッシュペーパー箱では上記課題を克服できなかったが、本考案であるテッシュペーパー箱用テッシュペーパー取り出し装置を市販テッシュペーパーボックス上に取り付けることでテッシュペーパーを簡単かつ確実に取出すことが可能となる。
【図面の簡単な説明】
【００１５】
【図１】テッシュ取り出し装置の上面図である。
【図２】図１記載のＸ−Ｙ方向の断面図である。
【図３】ローラー形状を変更したテッシュ取り出し装置の上面図である。
【図４】外枠に固定冶具を備えたテッシュ取り出し装置の上面図である。
【図５】テッシュペーパー箱にテッシュ取り出し装置を設置した図である。
【図６】図５記載のテッシュペーパー箱の側面図である。
【考案を実施するための形態】
【００１５】以下、本考案に係る実施の形態を図面により説明する。
【実施例】
【００１６】図１は、本考案の一実施例であるテッシュペーパー箱用テッシュ取り出し装置（１００）の上面図である。テッシュペーパー箱のテッシュ取出し口を覆うように設置できる形状記憶合金からなる外枠（１）であり、前記外枠の各長手方向の枠部にも形状記憶合金からなる内枠（２）が溶接にて取り付けられ、前記内枠に於いて対面する枠部を支持軸（ａ）とし、前記支持軸に複数の回動自在のローラー（３）が嵌め込まれ、前記各支持軸（ａ）のローラーが相互に押圧されるように取り付けている。【００１６】図２は、図１記載のテッシュペーパー箱用テッシュ取り出し装置（１００）のＸ−Ｙ断面であり形状記憶合金からなる外枠（１）の長手方向の枠部が対面する内枠の枠部と溶接され、対面する内枠（２）の枠部を支持軸として回転自在のローラー（３）が嵌め込まれ、前記ローラーが相互に押圧されるようになっている。【００１７】図３は、本考案の別の実施形態であるテッシュペーパー箱用テッシュ取り出し装置（１００）でありテッシュペーパー箱のテッシュ取出し口を覆うように設置できるプラスチック製の外枠（１）であり、前記外枠の各長手方向の枠部にもプラスチック製の内枠（２）が接着されており、前記内枠に於いて対面する枠部を支持軸（ａ）とし、前記各支持軸には回動自在のローラー（３）が２本嵌め込まれ、前記各支持軸（ａ）のローラーが相互に押圧されるように取り付けている。【００１８】図４は、図１記載のテッシュペーパー箱用テッシュ取り出し装置（１００）の外枠（１）の短手方向の枠部に固定冶具（４）を取り付けたものである。【００１９】図５は、テッシュペーパー箱に本考案であるテッシュ取り出し装置を設置した状態を示す。当該テッシュ取り出し装置（１００）の外枠（１）は当該テッシュペーパー箱（１０）のテッシュペーパー取出し口（１５）を跨ぎ、各支持軸に嵌め込んだローラー（３）がテッシュペーパー取出し口（１５）に位置するように設置する。前記外枠の短手方向の枠に取り付けられた固定冶具（４）にはゴム（２０）が結び付けられており、当該ゴムを前記テッシュペーパー箱に掛けることで固定できる。【００２０】図６は、図５記載のテッシュペーパー箱の側面図であり使用例を示す。対抗するローラー（３）の間からテッシュ（３０）を通すことで完成する。【００２１】なお、本考案にかかるテッシュ取り出し装置は、実施形態に記載したものに限られるものでなく、考案の要旨を逸脱しない範囲で変更可能である。
【産業上の利用可能性】
【００２２】本考案は、テッシュペーのみならずキッチンペーパー用収納箱にも適用することが可能である。
【符号の説明】
【００２３】  １    外枠
２    内枠
３    ローラー
４    固定冶具
１０  テッシュペーパー箱
１５  テッシュペーパー取出し口
２０  ゴム
３０  テッシュ
ａ    支持軸
【図１】
0003215826.tif 000003
【図２】
0003215826.tif 000004
【図３】
0003215826.tif 000005
【図４】
0003215826.tif 000006
【図５】
0003215826.tif 000007
【図６】
0003215826.tif 000008